(57)【要約】      （修正有）【課題】着信側の電話装置の電話番号も考慮して、着信に関する優先順位を決定することができる電話装置及び電話装置の制御方法を提供する。【解決手段】外線及び内線を含めた複数本の電話回線を有し電話回線のそれぞれに対応した電話番号が予め決定された電話装置（ＩＰ電話装置）１０であって、電話回線への着信に関する優先順位を記憶する記憶手段（メモリ）１０Ｃと、電話回線の少なくとも２本以上に着信が生じた場合に、記憶手段１０Ｃに記憶された優先順位に基づいて電話回線を選択する制御手段（制御回路）１０Ｄと、を有する構成とした。【選択図】      図１
2006339969.tif 000002
【特許請求の範囲】
【請求項１】
外線及び内線を含めた複数本の電話回線を有し前記電話回線のそれぞれに対応した電話番号が予め決定された電話装置であって、
前記電話回線への着信に関する優先順位を記憶する記憶手段と、
前記電話回線の少なくとも２本以上に着信が生じた場合に、前記記憶手段に記憶された優先順位に基づいて前記電話回線を選択する制御手段と、
を有することを特徴とする電話装置。
【請求項２】
外線及び内線を含めた複数本の電話回線を有し前記電話回線のそれぞれに対応した電話番号が予め決定された電話装置であって、
所定の前記電話番号に対応する前記電話回線を第１に優先し、外線から着信する前記電話番号に対応する前記電話回線を第２に優先し、内線から着信する前記電話番号に対応する前記電話回線を第３に優先するように優先順位を記憶する記憶手段と、
前記電話回線の少なくとも２本以上に着信が生じた場合に、前記記憶手段に記憶された優先順位に基づいて前記電話回線を選択する制御手段と、
を有することを特徴とする電話装置。
【請求項３】
外線及び内線を含めた複数本の電話回線を有し前記電話回線のそれぞれに対応した電話番号が予め決定された電話装置の制御方法であって、
前記電話回線への着信に関する優先順位を記憶手段に記憶する記憶工程と、
前記電話回線の少なくとも２本以上に着信が生じた場合に、前記記憶手段に記憶された優先順位に基づいて前記電話回線を制御手段により選択する電話回線選択工程と、
を有することを特徴とする電話装置の制御方法。
【請求項４】
外線及び内線を含めた複数本の電話回線を有し前記電話回線のそれぞれに対応した電話番号が予め決定された電話装置の制御方法であって、
所定の前記電話番号に対応する前記電話回線を第１に優先し、外線から着信する前記電話番号に対応する前記電話回線を第２に優先し、内線から着信する前記電話番号に対応する前記電話回線を第３に優先するように優先順位を記憶手段に記憶する記憶工程と、
前記電話回線の少なくとも２本以上に着信が生じた場合に、前記記憶手段に記憶された優先順位に基づいて前記電話回線を制御手段により選択する電話回線選択工程と、
を有することを特徴とする電話装置の制御方法。
【発明の詳細な説明】
【技術分野】
【０００１】
本発明は、複数本の電話回線を有し各電話回線のそれぞれに対応した電話番号が予め決定された電話装置及びその制御方法に関する。
【背景技術】
【０００２】
従来では、発信者識別情報を利用して取得した発信者情報と、予め個々の発信者の優先順位が登録された優先順位情報に従って、最も優先順位の高い発信者への着信応答を実現する技術が知られている（下記特許文献１及び特許文献２参照）。しかしながら、これらの技術では、性質の異なる複数本の電話回線（ライン、電話番号）を有する電話装置においては、必ずしも利用者の欲求を満足できるものではなかった。具体的には、内線ラインよりも外線ラインへの着信応答を優先させたい、あるいはグループで共有されるグループ共有ラインよりも個人ラインへの着信応答を優先させたいというような発信者電話番号ではなく着信ライン（着信電話番号）に焦点を当てた着信応答が実現できない問題があった。
【０００３】
また、局線１乃至ｎのうち若い局線番号を優先して選択することや、局線１乃至ｎからの着信を内線電話からの着信よりも優先させる技術が知られている（下記特許文献３参照）。
【特許文献１】特開平７−２６４２９７号公報
【特許文献２】特開２００２−１７１３３５号公報
【特許文献３】特開平７−１２３１３８号公報
【発明の開示】
【発明が解決しようとする課題】
【０００４】
ところで、特許文献３に記載の従来技術は、外線同士の着信に関する優先順位や外線と内線との着信に関する優先順位をそれぞれ決定するものであり、着信側の電話装置の電話番号も考慮して優先順位を決定するものではないため、優先順位を決定するパターンが少なく、利用者の欲求を十分に満足させるものではなかった。
【０００５】
そこで、本発明は、上記事情を考慮し、着信側の電話装置の電話番号も考慮して、着信に関する優先順位を決定することができる電話装置及び電話装置の制御方法を提供することを目的とする。
【課題を解決するための手段】
【０００６】
請求項１に記載の発明は、外線及び内線を含めた複数本の電話回線を有し前記電話回線のそれぞれに対応した電話番号が予め決定された電話装置であって、前記電話回線への着信に関する優先順位を記憶する記憶手段と、前記電話回線の少なくとも２本以上に着信が生じた場合に、前記記憶手段に記憶された優先順位に基づいて前記電話回線を選択する制御手段と、を有することを特徴とする。
【０００７】
請求項１に記載の発明によれば、電話回線の少なくとも２本以上に着信が生じた場合には、記憶手段に記憶された優先順位に基づいて、制御手段により優先順位の高い電話回線が選択される。これにより、複数本の電話回線に着信が生じた場合に、特に重要な相手先と通信状態を維持し、通話を実現することができる。
【０００８】
請求項２に記載の発明は、外線及び内線を含めた複数本の電話回線を有し前記電話回線のそれぞれに対応した電話番号が予め決定された電話装置であって、所定の前記電話番号に対応する前記電話回線を第１に優先し、外線から着信する前記電話番号に対応する前記電話回線を第２に優先し、内線から着信する前記電話番号に対応する前記電話回線を第３に優先するように優先順位を記憶する記憶手段と、前記電話回線の少なくとも２本以上に着信が生じた場合に、前記記憶手段に記憶された優先順位に基づいて前記電話回線を選択する制御手段と、を有することを特徴とする。
【０００９】
請求項２に記載の発明によれば、電話回線の少なくとも２本以上に着信が生じた場合には、制御手段により、所定の電話番号に対応する電話回線を第１に優先し、外線から着信する電話番号に対応する電話回線を第２に優先し、内線から着信する電話番号に対応する電話回線を第３に優先するように、電話回線が選択される。これにより、着信側の所定の電話番号に対応する電話回線と、外線から着信する電話番号に対応する電話回線と、内線から着信する電話番号に対応する電話回線との３つの要素を絡めた優先着信パターンを実現することができる。この結果、優先着信パターンに幅を持たせ、利用性及び汎用性を大幅に向上させることができる、利用者の欲求を十分に満足させることができる。
【００１０】
請求項３に記載の発明は、外線及び内線を含めた複数本の電話回線を有し前記電話回線のそれぞれに対応した電話番号が予め決定された電話装置の制御方法であって、前記電話回線への着信に関する優先順位を記憶手段に記憶する記憶工程と、前記電話回線の少なくとも２本以上に着信が生じた場合に、前記記憶手段に記憶された優先順位に基づいて前記電話回線を制御手段により選択する電話回線選択工程と、を有することを特徴とする。
【００１１】
請求項３に記載の発明によれば、記憶工程において、電話回線への着信に関する優先順位が記憶手段に記憶される。電話回線選択工程において、電話回線の少なくとも２本以上に着信が生じた場合に、記憶手段に記憶された優先順位に基づいて電話回線が制御手段により選択される。これにより、複数本の電話回線に着信が生じた場合に、特に重要な相手先と通信状態を維持し、通話を実現することができる。
【００１２】
請求項４に記載の発明は、外線及び内線を含めた複数本の電話回線を有し前記電話回線のそれぞれに対応した電話番号が予め決定された電話装置の制御方法であって、所定の前記電話番号に対応する前記電話回線を第１に優先し、外線から着信する前記電話番号に対応する前記電話回線を第２に優先し、内線から着信する前記電話番号に対応する前記電話回線を第３に優先するように優先順位を記憶手段に記憶する記憶工程と、前記電話回線の少なくとも２本以上に着信が生じた場合に、前記記憶手段に記憶された優先順位に基づいて前記電話回線を制御手段により選択する電話回線選択工程と、を有することを特徴とする。
【００１３】
請求項４に記載の発明によれば、記憶工程において、所定の電話番号に対応する電話回線を第１に優先し、外線から着信する電話番号に対応する電話回線を第２に優先し、内線から着信する電話番号に対応する電話回線を第３に優先するように優先順位が記憶手段に記憶される。電話回線選択工程において、電話回線の少なくとも２本以上に着信が生じた場合に、記憶手段に記憶された優先順位に基づいて電話回線が制御手段により選択される。これにより、着信側の所定の電話番号に対応する電話回線と、外線から着信する電話番号に対応する電話回線と、内線から着信する電話番号に対応する電話回線との３つの要素を絡めた優先着信パターンを実現することができる。この結果、優先着信パターンに幅を持たせ、利用性及び汎用性を大幅に向上させることができ、利用者の欲求を十分に満足させることができる。
【発明の効果】
【００１４】
本発明によれば、着信側の電話装置の電話番号も考慮して、着信に関する優先順位を決定することができる。
【発明を実施するための最良の形態】
【００１５】
次に、本発明の第１実施形態に係る電話装置について、図面を参照して説明する。
【００１６】
図１に示すように、本実施形態の電話装置は、ボタン式のＩＰ（Ｉｎｔｅｒｎｅｔ  Ｐｒｏｔｏｃｏｌ、以下、単に「ＩＰ」と略する。）電話装置１０であり、複数本の電話回線を有し各電話回線に対応した電話番号を設定することができるものである。また、このＩＰ電話装置１０は、外線設定、すなわちルータ１２及びインターネット網を介して他のＩＰ電話装置１４と通信（通話）することができるようになっており、また、公衆回線網を利用した電話装置１３とも通信（通話）することができるようになっている。さらに、このＩＰ電話装置１０は、内線設定、すなわち、所定のグループで共有されたグループ共有回線により他のボタン式のＩＰ電話装置１６、１８とも通信（通話）することができるようになっている。
【００１７】
また、ＩＰ電話装置１０は、所定の数字などを入力する入力部１０Ａと、所定の情報を表示する表示部１０Ｂと、所定の情報などを記憶するメモリ（記憶手段）１０Ｃと、メモリ１０Ｃの記憶内容に基づいて所定の判断処理を行う制御回路（制御手段）１０Ｄと、を有している。
【００１８】
また、ＩＰ電話装置１０は、ルータ１２及びインターネット網を介して他のＩＰ電話装置と通信する場合や公衆回線網を利用した電話装置と通信する場合の他に、所定のグループで共有されたグループ共有回線により他のＩＰ電話装置１６、１８と通信する場合にも、サーバ１１を介して通信状態が実現される。
【００１９】
ここで、本実施形態のＩＰ電話装置１０では、合計で４本の電話回線が設定されており、各電話回線に対応した４つの電話番号が設定されている。具体的には、１本目と２本目の電話回線では外部の電話装置（ＩＰ電話装置も含む外線の電話装置）と通信状態とする第１電話番号及び第２電話番号がそれぞれ設定されており、３本目と４本目の電話回線ではグループ内部の電話装置（ＩＰ電話装置も含む内線の電話装置）と通信状態とする第３電話番号及び第４電話番号がそれぞれ設定されている。なお、ＩＰ電話装置１０に設定される電話回線は、特に４本に限られるものではなく、２本以上の複数本であればよい。
【００２０】
また、メモリ１０Ｃには、複数本の電話回線のうち２本以上の電話回線に着信が生じた場合、どの電話回線を優先して選択するかについての情報がデータとして記憶されている。具体的には、第１電話番号の電話回線の着信中にその他の電話番号（第２電話番号、第３電話番号、第４電話番号）の電話回線が着信した場合には第１電話番号の電話回線を最優先で選択し、また、第２電話番号の電話回線の着信中にその他の電話番号（第３電話番号、第４電話番号）の電話回線が着信した場合には第２電話番号の電話回線を優先して選択し、また、第３電話番号の電話回線の着信中にその他の電話番号（第４電話番号）の電話回線が着信した場合には第２電話番号の電話回線を優先して選択するような着信に関する優先順位を示すデータが記憶されている。また、メモリ１０Ｃには、ＩＰ電話装置１０の各電話回線にそれぞれ対応する各鳴動音（メロディ）がデータとして記憶されている。
【００２１】
また、制御回路１０Ｄは、メモリ１０Ｃに記憶されたデータに基づいて所定の電話回線を優先して選択する。
【００２２】
また、制御回路１０Ｄにより所定の電話回線が優先して選択されると、表示部１０Ｂが制御回路１０Ｄにより制御され、その電話回線に発呼している相手先の電話番号などの相手先に関する情報が表示部１０Ｂに表示される。また、制御回路１０Ｄにより優先して選択された所定の電話回線に対応する鳴動音が鳴動する。
【００２３】
次に、第１実施形態に係る電話装置の制御方法について説明する。
【００２４】
図１及び図２に示すように、ＩＰ電話装置１０の複数本の電話回線に略同時に着信が生じた場合（Ｓ１００）には、制御回路１０Ｄによりメモリ１０Ｃに記憶されたデータに基づいて所定の電話回線が優先して選択される。具体的には、着信した電話回線の電話番号が第１電話番号か否かが制御回路１０Ｄにより判断される（Ｓ１２０）。この結果、第１電話番号であると制御回路１０Ｄにより判断されると、他に着信した電話回線（第２電話番号の電話回線、第３電話番号の電話回線、第４電話番号の電話回線）がある場合でも、第１電話番号の電話回線が最優先に選択される（Ｓ１４０）。これにより、表示部１０Ｂには、第１電話番号の電話回線に発呼した相手先の電話番号が表示され、また、第１電話番号の電話回線に対応する鳴動音が鳴動する。
【００２５】
次に、着信した電話回線の電話番号が第１電話番号でないと制御回路１０Ｄにより判断されると、着信した電話回線の電話番号が第２電話番号か否かが制御回路１０Ｄにより判断される（Ｓ１６０）。この結果、着信した電話回線の電話番号が第２電話番号であると制御回路１０Ｄにより判断された場合には、他に着信した電話回線（第３電話番号の電話回線、第４電話番号の電話回線）がある場合でも、第２電話番号の電話回線が優先に選択される（Ｓ１８０）。これにより、表示部１０Ｂには、第２電話番号の電話回線に発呼した相手先の電話番号が表示され、また、第２電話番号の電話回線に対応する鳴動音が鳴動する。
【００２６】
次に、着信した電話回線の電話番号が第１電話番号でも第２電話番号でもないと制御回路１０Ｄにより判断されると、着信した電話回線の電話番号が第３電話番号か否かが制御回路１０Ｄにより判断される（Ｓ２００）。この結果、着信した電話回線の電話番号が第３電話番号であると制御回路１０Ｄにより判断された場合には、他に着信した電話回線（第４電話番号の電話回線）がある場合でも、第３電話番号の電話回線が優先に選択される（Ｓ２２０）。これにより、表示部１０Ｂには、第３電話番号の電話回線に発呼した相手先の電話番号が表示され、また、第３電話番号の電話回線に対応する鳴動音が鳴動する。
【００２７】
なお、着信した電話回線の電話番号が第３電話番号でもないと制御回路１０Ｄにより判断された場合には、第４電話番号の電話回線が選択されるとともに（Ｓ２４０）、表示部１０Ｂには第４電話番号の電話回線に発呼した相手先の電話番号が表示され、また、第４電話番号の電話回線に対応する鳴動音が鳴動する。
【００２８】
以上のように、ＩＰ電話装置１０の各電話回線を優先して選択することにより、ＩＰ電話装置１０の利用者により受話器を上げるなどの応答操作が行われた場合には、優先された電話回線が自動的に選択される。そして、その選択された電話回線に発呼した相手先との通信状態が維持され、通話可能となる。この結果、複数本の電話回線に略同時に着信が生じた場合でも、特に重要な相手先と通信状態を維持し、通話を実現することができる。
【００２９】
次に、第２実施形態に係る電話装置について説明する。
【００３０】
なお、第１実施形態に係る電話装置と重複する構成については説明を省略する。
【００３１】
本実施形態の電話装置では、メモリ１０Ｃには、所定の電話番号に対応する電話回線を第１に優先し、外線から着信する電話番号に対応する電話回線を第２に優先し、内線から着信する電話番号に対応する電話回線を第３に優先するような電話回線の優先順位に関する情報がデータとして記憶されている。具体的には、第１電話番号の電話回線の着信中にその他の電話番号（第２電話番号、第３電話番号、第４電話番号）の電話回線が着信した場合には第１電話番号の電話回線を最優先で選択し、第２電話番号の電話回線の着信中にその他の電話番号（第３電話番号、第４電話番号）の電話回線が着信した場合には第２電話番号の電話回線を優先して選択し、第３電話番号の電話回線の着信中にその他の電話番号（第４電話番号）の電話回線が着信した場合には内線ではなく外線の電話回線を優先して選択するような着信に関するような着信に関する優先順位を示すデータが記憶されている。
【００３２】
次に、第２実施形態に係る電話装置の制御方法について説明する。
【００３３】
なお、第１実施形態に係る電話装置の制御方法と重複する作用については説明を適宜省略する。
【００３４】
図１及び図３に示すように、ＩＰ電話装置１０の複数本の電話回線に略同時に着信が生じた場合（Ｓ３００）には、制御回路１０Ｄによりメモリ１０Ｃに記憶されたデータに基づいて所定の電話回線が優先して選択される。具体的には、着信した電話回線の電話番号が第１電話番号か否かが制御回路１０Ｄにより判断される（Ｓ３２０）。この結果、第１電話番号であると制御回路１０Ｄにより判断されると、他に着信した電話回線（第２電話番号の電話回線、第３電話番号の電話回線、第４電話番号の電話回線）がある場合でも、第１電話番号の電話回線が最優先に選択される（Ｓ３４０）。
【００３５】
次に、着信した電話回線の電話番号が第１電話番号でないと制御回路１０Ｄにより判断されると、着信した電話回線の電話番号が第２電話番号か否かが制御回路１０Ｄにより判断される（Ｓ３６０）。この結果、着信した電話回線の電話番号が第２電話番号であると制御回路１０Ｄにより判断された場合には、他に着信した電話回線（第３電話番号の電話回線、第４電話番号の電話回線）がある場合でも、第２電話番号の電話回線が優先に選択される（Ｓ３８０）。
【００３６】
次に、着信した電話回線の電話番号が第１電話番号でも第２電話番号でもないと制御回路１０Ｄにより判断されると、着信した電話回線（第３電話番号の電話回線、第４電話番号の電話回線）が外線か否かが制御回路１０Ｄにより判断される（Ｓ４００）。この結果、第３電話番号の電話回線が外線であると制御回路１０Ｄにより判断された場合（Ｓ４２０）には、他に着信した電話回線（第４電話番号の電話回線）がある場合でも、第３電話番号の電話回線が優先に選択される（Ｓ４４０）。一方、第４電話番号の電話回線が外線であると制御回路１０Ｄにより判断された場合には、他に着信した電話回線（第３電話番号の電話回線）がある場合でも、第４電話番号の電話回線が優先に選択される（Ｓ４６０）。
【００３７】
なお、着信した電話回線が外線でもないと制御回路１０Ｄにより判断されると、内線と判断され（Ｓ４８０）、Ｓ４２０の直前に移行し、所定の電話回線が選択される。
【００３８】
以上のように、着信側の所定の電話番号に対応する電話回線と、外線から着信する電話番号に対応する電話回線と、内線から着信する電話番号に対応する電話回線との３つの要素を絡めた優先着信パターンを実現することができる。この結果、優先着信パターンに幅を持たせ、利用性及び汎用性を大幅に向上させることができる、利用者の欲求を十分に満足させることができる。
【図面の簡単な説明】
【００３９】
【図１】本発明の第１実施形態に係る電話装置を含めた電話回線網を示すブロック図である。
【図２】本発明の第１実施形態に係る電話装置の制御方法に関する処理を示すフローチャートである。
【図３】本発明の第２実施形態に係る電話装置の制御方法に関する処理を示すフローチャートである。
【符号の説明】
【００４０】
１０      ＩＰ電話装置（電話装置）
１０Ｃ    メモリ（記憶手段）
１０Ｄ    制御回路（制御手段）
【図１】
2006339969.tif 000003
【図２】
2006339969.tif 000004
【図３】
2006339969.tif 000005